(57)【特許請求の範囲】
【請求項１】
移動通信システムの基地局システムにおけるチャネル割り当ての方法において、
移動局へのチャネル割り当てが要求される時、基地局から基地局制御器に連結メッセージを伝送する過程であって、該連結メッセージは、２５６個のウォルシュコードの中から前記移動局に割り当てるチャネルのために使用されるウォルシュコードを示すチャネル情報と、擬似直交関数インデックスを示す情報と、を含むものである前記伝送する過程と、
前記連結メッセージに含まれたチャネルの割り当てに関する情報を承認する連結アクノリッジメントメッセージを、前記基地局制御器から前記基地局に伝送する過程と、
前記連結アクノリッジメントメッセージを受信する時、前記基地局が、前記基地局制御器で承認されたチャネルを前記移動局に割り当てる過程と、を含むことを特徴とする方法。
【請求項２】
前記擬似直交関数は４つである請求項１記載の方法。
【請求項３】
前記チャネル情報は、８ビットあるいは１１ビットで構成される請求項１記載の方法。
【請求項４】
前記連結メッセージは、対象基地局システムがソース基地局システムの選択／配分ユニットに一つ以上のＡ３インターフェース使用者トラフィック連結を開始、または、追加する時に伝送されるＡ３インターフェースメッセージである請求項１記載の方法。
【請求項５】
さらに、
前記移動局に割り当てるチャネルが付加コードチャネルである場合、前記連結メッセージの中からフレームセレクター(または、チャネルタイプ)を付加コードチャネルに指定し、前記チャネル情報を６ビットにしてウォルシュコードを指定する過程と、
前記連結メッセージの中で基本チャネルの設定によって重複される情報要素は無視して残りの情報要素を作成する過程と、を含む請求項１記載の方法。
【請求項６】
さらに、
前記移動局に割り当てるチャネルに擬似直交関数マスキングを遂行するかどうかを決定する過程と、
前記擬似直交関数マスキングを遂行する場合、２５６個のウォルシュコードから移動局に割り当てるチャネルのために使用されるウォルシュコードを示すチャネル情報を指定し、前記擬似直交関数マスキングに使用される擬似直交関数を示す擬似直交関数インデックスを指定する過程と、
前記連結メッセージの残りの情報要素を作成する過程と、
前記連結メッセージを基地局制御器に伝送する過程と、を含む請求項１記載の方法。
【請求項７】
さらに、
前記移動局に割り当てるチャネルに擬似直交関数マスキングを遂行するかどうかを決定する過程と、
前記擬似直交関数マスキングを遂行しない場合、２５６個のウォルシュコードから移動局に割り当てるチャネルのために使用されるウォルシュコードを示すチャネル情報を指定し、前記擬似直交関数インデックスを‘００’に指定する過程と、
前記連結メッセージの残りの情報要素を作成する過程と、
前記連結メッセージを基地局制御器に伝送する過程と、を含む請求項１記載の方法。
【請求項８】
移動通信システムの基地局システムでチャネル割り当てを行う装置において、
移動局へのチャネル割り当てが要求される時、基地局制御器に連結メッセージを伝送する基地局であって、該連結メッセージは、２５６個のウォルシュコードの中から前記移動局に割り当てるチャネルのために使用されるウォルシュコードを示すチャネル情報と、擬似直交関数インデックスを示す情報とを含んでいる前記基地局、を備え、
前記基地局制御器は、前記連結メッセージに含まれたチャネルの割り当てに関する情報を承認する連結アクノリッジメントメッセージを前記基地局に伝送し、
前記基地局は、前記連結アクノリッジメントメッセージを受信する時、前記基地局制御器で承認されたチャネルを前記移動局に割り当てることを特徴とする装置。
【請求項９】
前記擬似直交関数は４つである請求項８記載の装置。
【請求項１０】
前記チャネル情報は、８ビットあるいは１１ビットで構成される請求項８記載の装置。
【請求項１１】
前記連結メッセージは、対象基地局システムがソース基地局システムの選択／配分ユニットに一つ以上のＡ３インターフェース使用者トラフィック連結を開始、または、追加する時に伝送されるＡ３インターフェースメッセージである請求項８記載の装置。
【発明の詳細な説明】
【０００１】
【発明の属する技術分野】
本発明は、符号分割多重接続方式(Code Division Multiple Access: 以下、ＣＤＭＡ)の移動通信システムに関し、特に、順方向リンクにおける２５６個のウォルシュコード(Walsh code)と並行して使用される４つの擬似直交関数(Quasi Orthogonal Function: 以下、ＱＯＦ)を、基地局(Base station Transceiver System: 以下、ＢＴＳ)と基地局制御器(Base Station Controller: 以下、ＢＳＣ)で提供する方法に関する。
【０００２】
【従来の技術】
既存のＩＳ−９５Ａ／ＢのＣＤＭＡ通信システムでは、無線チャネルをウォルシュ関数(Walsh Function)に拡散させる。しかしながら、ＩＳ−２０００の規格で順方向／逆方向リンクに新しいチャネルの種類が導入されるにつれて、従来の通信システムではチャネル間の直交性を維持するためのウォルシュコードの数が足りなくなった。
【０００３】
従って、既存の各チャネル間の直交性を維持したまま、チャネルの数を増やす方案が必要になった。その方案の一つとしては、移動局に必須的なＱＯＦを定義して、既存のウォルシュ関数を利用した時より４倍のチャネル割り当てのできる方法があり、もう一つの方案は、既存の６４個のウォルシュコードを生成したウォルシュ関数を、２５６個のウォルシュコードを生成するウォルシュ関数に拡張する方法がある。前記ＱＯＦは、基本チャネル(Fundamental Channel: 以下、ＦＣＨ)、専用制御チャネル(Dedicated Control Channel: 以下、ＤＣＣＨと)、付加チャネル(Supplemental Channel: 以下、ＳＣＨ)などのＩＳ−２０００順方向チャネルに全部適用される。しかしながら、既存の基地局システムでは６４個のウォルシュコードチャネルだけが支援できる。
【０００４】
これから、ＩＭＴ−２０００規格に使用されるチャネルの種類を説明する。
【０００５】
全てのチャネルは、大別して物理チャネル(Physical Channel)と論理チャネル(Logical Channel)とに分けられる。前記論理チャネルは、物理チャネル上に設定されるもので、一つの物理チャネルには多数の論理チャネルが設定できる。前記物理チャネルの設定が解除されると、前記物理チャネルに設定された論理チャネルは自動的に解除される。ある論理チャネルを設定するために必ず物理チャネルを設定する必要はない。設定しようとする論理チャネルに必要な物理チャネルが、既に他の論理チャネルのために設定されている場合は、既設定された物理チャネルに前記論理チャネルを割り当てるだけで良い。
【０００６】
前記物理チャネルは、その特性によって、専用チャネル(Dedicated Channel)と共通チャネル(Common Channel)とに分けられる。前記専用チャネルは、ＢＴＳと特定移動局が相互の通信のために専用に使用するチャネルで、ＦＣＨとＤＣＣＨとＳＣＨとがある。前記ＦＣＨは、音声信号(Voice Signal)と、データ信号(Data Signal)と、制御信号(Signaling Signal)と、を伝送するために使用される。前記ＦＣＨはＴＩＡ／ＥＩＡ−９５−Ｂと互換できる。前記ＤＣＣＨは、データ信号と制御信号(Signaling Signal)を伝送するために使用される。前記ＤＣＣＨは、上位層で伝送データが発生された場合のみにデータを伝送する不連続伝送(Discontinuous Transmission: ＤＴＸ)モードを支援するが、前記のような特徴のために、パケットサービスを効率的に提供するのに適合である。前記ＳＣＨは大容量のデータを伝送するために使用される。
【０００７】
さらに、前記物理チャネルには、前記のような専用チャネルの以外に、基地局システムと幾つかの移動局が共同で使用する共通チャネルがある。ＢＴＳから移動局に伝送される順方向リンクの物理チャネルを呼出チャネル(Paging Channel)と言い、移動局からＢＴＳに伝送される逆方向リンクの物理チャネルを接近チャネル(Access Channel)と言う。これらの共通チャネルはＩＳ−９５−Ｂと互換できる。
【０００８】
前記のような物理チャネル上に割り当てる論理チャネルとしては、専用制御チャネル(dedicated signaling channel: ｄｓｃｈ)と専用トラフィックチャネル(dedicated traffic channel: ｄｔｃｈ)がある。前記専用制御チャネルは物理チャネルであるＦＣＨとＤＣＣＨに割り当てられ、前記専用トラフィックチャネルはＦＣＨとＤＣＣＨとＳＣＨとに割り当てられる。前記専用制御チャネルは、基地局システムと移動局が制御信号を交換するために使用され、前記専用トラフィックチャネルは、基地局システムと移動局が使用者データを交換するために使用される。
【０００９】
共通物理チャネル上に割り当てられる共通論理チャネルは、制御信号を伝送するために使用される共通制御チャネル(common signaling channel: ｃｓｃｈ)と、使用者データを伝送するために使用される共通トラフィックチャネル(common traffic channel: ｃｔｃｈ)と、に分けられる。前記共通論理チャネルは、順方向リンクに対しては呼出チャネル上に割り当てられ、逆方向リンクに対しては接近チャネル上に割り当てられる。
【００１０】
図１は、一般的な移動通信システムの構成を示している。特に、図１は、通常の移動通信システムの移動交換局(Mobile Switching Center：以下、ＭＳＣ)と基地局システム、基地局システムと基地局システム間のディジタルエアインターフェース(Digital Air Interface)に対する３Ｇ ＩＯＳ(Interoperability Specifications)の参照モデル(Reference Model)を示す図である。
【００１１】
図１を参照すると、ＭＳＣ２０とＢＳＣ３２との間で、信号はＡ１インターフェースに、使用者情報はＡ２／Ａ５(回線データ専用)インターフェースに定義されている。Ａ３インターフェースは、基地局システム間のソフト／ソフタハンドオフ(soft/softer handoff)のために、対象基地局システム(Target BS)４０をソース基地局システム(Source BS)３０のフレーム選択／分配(Frame Selection/ Distribution Unit: ＳＤＵ)機能部３４に連結するために定義されたもので、前記Ａ３インターフェースを通して、対象基地局システム４０とソース基地局システム３０のＳＤＵ機能部３４との間の信号及び使用者トラフィックが伝送される。Ａ７インターフェースは、基地局システム間のソフト／ソフタハンドオフのために、対象基地局システム４０とソース基地局システム３０との間の信号を送受信するために定義されている。前記ＣＤＭＡ移動通信システムで、前記基地局システム３０と前記基地局システム４０との間、前記基地局システム３０と前記ＭＳＣ２０との間の有線通信リンクは、前記ＭＳＣ２０から前記基地局システム３０に伝送する順方向リンク(Forward Link)と、逆に前記基地局システム３０から前記ＭＳＣ２０に伝送する逆方向リンク(Reverse Link)と、前記ＭＳＣ２０と前記基地局システム３０との間を連結するラインと、から構成される。前記ＭＳＣ２０は、呼制御(Call Control)と移動管理(Mobility Management)ブロック２２と、スイッチングブロック２４と、を含む。また、前記ＭＳＣ２０は、インターワーキング機能(Inter Working Function: ＩＷＦ)部５０を通してインターネットのようなデータ網に接続される。
【００１２】
図２は、従来技術によるＢＴＳとＢＳＣ(具体的にはＢＳＣ内のＳＤＵ機能部: ＢＳＣ−ＳＤＵ)との間の信号送受信の手順を示す。このような動作は、図１に示されたソース基地局システム３０の内部のＢＳＣ３２(または、ＢＳＣ−ＳＤＵ３４)とＢＴＳ３６との間で遂行されることもでき、対象基地局システム４０の内部のＢＳＣ４２とＢＴＳ４４との間で遂行されることもできる。図２は、ＤＣＣＨ、ＦＣＨ、ＳＣＨなどの、物理チャネルの形態とは関係ない。本発明は、物理チャネルの全ての形態に適用できる。
【００１３】
図２を参照すると、ＢＴＳは２０１段階で、移動局によって設定される順方向及び逆方向チャネルを決定し、前記チャネル設定に必要な信号メッセージ(具体的には連結メッセージ)を生成する。前記生成された信号メッセージは、フレームセレクター(または、チャネルタイプ)及びチャネル情報を含む。２０１段階での動作は図３を参照してより具体的に説明する。ＢＴＳは２０３段階で、前記生成された連結メッセージをＢＳＣに伝送する。前記連結メッセージを受信したＢＳＣは、２０５段階で、前記連結メッセージを分析して移動局に割り当てるチャネルを確認し、ＢＴＳに伝送する連結アクノリッジメントメッセージ(Connect ACK message)を生成する。前記連結アクノリッジメントメッセージを受信する動作は図４を参照してより具体的に説明する。ＢＳＣは２０７段階で、前記生成された連結アクノリッジメントメッセージをＢＴＳに伝送する。 前記連結アクノリッジメントメッセージは、前記ＢＴＳが要求したチャネルの設定を承認する情報を含む。前記ＢＴＳは２０９段階で、前記承認されたチャネルを移動局に割り当てる。
【００１４】
図２の動作を要約すると、ＢＴＳは、移動局に割り当てられるチャネル情報を含む連結メッセージを生成してＢＳＣに伝送する。前記ＢＳＣは、前記連結メッセージを受信して処理した後、チャネルの割り当てを承認する連結アクノリッジメントメッセージを生成してＢＴＳに伝送する。それから、ＢＴＳは、前記承認されたチャネルを移動局に割り当てる。
【００１５】
図３は、従来技術による連結メッセージの送信動作の処理の手順を示す。このような動作は、移動局へのチャネルの割り当てが必要である場合、ＢＴＳがＢＳＣ−ＳＤＵに連結メッセージを伝送する時に行われる。ＢＴＳからＢＳＣ−ＳＤＵに伝送される連結メッセージの構成は図５Ａ及び図５Ｂのようである。
【００１６】
図３を参照すると、ＢＴＳは３０１段階で、移動局に割り当てられるチャネルが付加コードチャネル(Supplemental Code Channel：以下、ＳＣＣＨ)であるかを検査する。前記ＳＣＣＨは、ＩＳ−９５ＢのＳＣＨに対応する名として定義されたＩＳ−２０００である。前記ＩＳ−２０００はＩＳ−９５Ａ／Ｂの発展線上にある。前記ＩＳ−２０００は、また、逆互換性を維持するためのＩＳ−９５Ａ／Ｂを持つ。３０１段階で、移動局に割り当てられるチャネルがＳＣＣＨであると、３０３段階で、割り当てられるチャネルがＩＳ−９５ＢであることをＢＳＣが認識するように、図５Ａと図５Ｂに示された連結メッセージの中でフレームセレクター(または、チャネルタイプ)をＩＳ−９５ＢのＳＣＣＨに指定し、チャネル情報を６ビットにしてウォルシュコードを指定する。そして、３０５段階で、前記ＢＴＳは、図５Ａと図５Ｂの連結メッセージの中でＩＳ−９５Ａ／ＢのＦＣＨの設定によって重複される情報要素(information element)は無視する。Ａ３連結情報の中でセル情報と拡張ハンドオフパラメータ(Extended Handoff Parameters)とは、ＩＳ−９５Ａ／ＢのＦＣＨが新しく設定される時に使用される前記と同一な連結メッセージの中でＩＳ−９５Ａ／ＢのＦＣＨの設定によって重複される。ＩＳ−９５ＢのＳＣＣＨの設定手順は、ＩＳ−９５Ａ／ＢのＦＣＨ設定手順の後に行われる。前記ＩＳ−９５ＢのＳＣＣＨは同じセル下でＩＳ−９５Ａ／ＢのＦＣＨと並列に設定されるべきで、前記連結メッセージが完成できるように他の情報要素を全部作成してから、前記連結メッセージを前記ＢＳＣに伝送する。ここで、もし、ハンドオフ(hand off：ＨＯ)状況であると、前記ＢＴＳは、ハンドオフに関連した情報要素を全部作成する。
【００１７】
一方、３０１段階で、移動局に割り当てるチャネルがＳＣＣＨでないと、ＢＴＳは３０７段階で、割り当てるチャネルがＩＳ−９５ＢのＦＣＨであることをＢＳＣが認識するように、図５Ａと図５Ｂに示された連結メッセージの中でフレームセレクター(または、チャネルタイプ)をＦＣＨに指定し、チャネル情報を６ビットにしてウォルシュコードを指定する。そして、前記ＢＴＳは３０９段階で、図５Ａと図５Ｂに示された連結メッセージの中で全ての情報要素を作成して前記ＢＳＣに伝送する。ここで、もし、ハンドオフ状況であると、ハンドオフに関連した全ての情報要素を作成する。
【００１８】
図４は、従来技術による連結メッセージの受信動作の処理手順を示す。このような処理手順は、ＢＳＣ−ＳＤＵがＢＴＳからチャネル割り当てを要求する連結メッセージを受信して、前記連結メッセージに対する連結アクノリッジメントメッセージを生成する手順である。
【００１９】
図４を参照すると、前記ＢＳＣ−ＳＤＵは４０１段階で、チャネルの割り当てを要求する連結メッセージをＢＴＳから受信する。それから、前記ＢＳＣ−ＳＤＵは４０１段階で、前記受信した連結メッセージを分析し、図５Ａ及び図５Ｂのメッセージの中で設定を要求したチャネルと、ＢＴＳとＢＳＣとの間のトラフィックチャネルの確認者と、を確認する。前記ＢＳＣ−ＳＤＵは４０３段階で、無線チャネルに対応するＢＳＣとＢＴＳと間のトラフィックチャネルを割り当てる。それで、ＢＳＣ−ＢＴＳ−移動局間のチャネル連結が確定される。そして、前記ＢＴＳ−ＳＤＵは４０５段階で、図６に示された連結アクノリッジメントメッセージの全ての情報要素を作成してＢＴＳに伝送する。
【００２０】
図６に示した連結メッセージを簡略化した内容は表１のようである。
【表１】
0003730916.tif 000002
【００２１】
前記表１のような連結メッセージは，対象基地局システム４０がソース基地局システム３０のＳＤＵ３４に一つ以上のＡ３使用者トラフィック連結を開始、または、追加する時に伝送されるＡ３メッセージである。前記Ａ３メッセージは次のような情報を含んでいる。
- Ｍｅｓｓａｇｅ Ｔｙｐｅ II: Ａ３／Ａ７メッセージの形態を示す情報要素。
- Ｃａｌｌ Ｃｏｎｎｅｃｔｉｏｎ Ｒｅｆｅｒｅｎｃｅ: 全域的に唯一に呼連結(Call connection)を区分する情報要素で、全てのハンドオフを超えて連結期間の間にいつもその値が維持される。
- Ｃｏｒｒｅｌａｔｉｏｎ  ＩＤ: 要求メッセージ(request message)と前記要求メッセージに対する応答メッセージ(response message)とを相互連関させるために使用される情報要素。
- ＳＤＵ ＩＤ: 一つのＳＤＵノード内にある特別なＳＤＵインスタンス(instance)を確認するための情報要素。
- Ａ３ Ｃｏｎｎｅｃｔ Ｉｎｆｏｒｍａｔｉｏｎ:  一つまたはそれ以上のセルを、一つの新しいＡ３連結や既存のＡ３連結に追加するために使用される情報要素で、前記情報要素のフィールドは表２のようであり、表２の４番目のオクテット(octet)からｊ−１番目のオクテットは、表３のセル情報レコード(Cell Information Record)フィールドを含む。
【表２】
0003730916.tif 000003
【表３】
0003730916.tif 000004
【００２２】
前記表３は、一つのコールレッグ(call leg)に付属されるセルのためのエアインターフェースチャネル情報を含んでいるメッセージを示し、それぞれのフィールドは次のように定義される。
- Ｌｅｎｇｔｈ: Ｌｅｎｇｔｈフィールド以後の要素のオクテットの数。
- Ｃｅｌｌ Ｉｄｅｎｔｉｆｉｃａｔｉｏｎ Ｄｉｓｃｒｉｍｉｎａｔｏｒ: セル職別フィールドの以後のフォーマットを各セル別に記述するために使用される値。
- Ｃｅｌｌ Ｉｄｅｎｔｉｆｉｃａｔｉｏｎ: Ａ３連結と関連したセルの区分者。
- Ｒｅｓｅｒｖｅｄ: ‘０００００’に指定。
- Ｎｅｗ Ｃｅｌｌ Ｉｄｅｎｔｉｆｉｃａｔｏｒ: 該当セルが、現在の手順でＡ３トラフィック連結に新しく追加されるセルであるか、それとも、Ａ３連結に既に存在するセルであるかを示すフィールド。
- ＰＷＲ_Ｃｏｍｂ_Ｉｎｄ: 電力制御シンボル結合指示者(Power Control Symbol Combining Indicator)であって、該当パイロットと関連した順方向のトラフィックチャネルが、このメッセージの中の以前パイロットの閉ループ電力制御サブチャネル(closed loop power control subchannel)のビットと同一なビットを伝達すると、ＢＴＳではこのフィールドを‘１’に指定する。そうでない場合には、‘０’に指定する。この要素の中でこのレコードが初めて発生した時は、ＢＴＳは‘０’に指定する。
- Ｐｉｌｏｔ_ＰＮ: このフィールドは、関連したセルに該当するＰＮシケンスオフセットを含み、６４ＰＮチップ(chips)単位で指定する。
- Ｃｏｄｅ_Ｃｈａｎ : このフィールドは、関連したセルに該当するコードチャネルインデックス(code channel index)を含む。ＢＴＳは指定されたパイロットと関連して順方向トラフィックチャネル上に使用われる値を０から６３までの中で一つを指定する。
【００２３】
図６に示した連結アクノリッジメントメッセージを簡略化した内容は表４のようである。
【表４】
0003730916.tif 000005
【００２４】
前記表４のような連結アクノリッジメントメッセージは、対象基地局システム４０からソース基地局システム３０のＳＤＵにＡ３信号インターフェース上でＡ３ ＣＤＭＡ Ｌｏｎｇ Ｃｏｄｅ Ｔｒａｎｓｉｔｉｏｎ Ｄｉｒｅｃｔｉｖｅの遂行結果を伝達するＡ３メッセージである。そして、前記表４のようなＡ３ ＣＤＭＡ Ｌｏｎｇ Ｃｏｄｅ Ｔｒａｎｓｉｔｉｏｎ Ｄｉｒｅｃｔｉｖｅに対するアクノリッジメントメッセージ(ACK message)は下記表５のようである。
【表５】
0003730916.tif 000006
【００２５】
前記表５のようなＡ３ＣＤＭＡ Ｌｏｎｇ Ｃｏｄｅ Ｔｒａｎｓｉｔｉｏｎ Ｄｉｒｅｃｔｉｖｅアクノリッジメントメッセージは次のような情報要素を含む。
- Ｍｅｓｓａｇｅ Ｔｙｐｅ II: Ａ３／Ａ７メッセージの形態を示す情報要素。
- Ｃａｌｌ Ｃｏｎｎｅｃｔｉｏｎ Ｒｅｆｅｒｅｎｃｅ: 全域的に唯一に呼連結を区分する情報要素で、全てのハンドオフを超えて連結期間の間にいつもその値が維持される。
- ＳＤＵ ＩＤ: 一つのＳＤＵノード内にある特別なＳＤＵインスタンスを確認するための情報要素。
- ＰＭＣ Ｃａｕｓｅ: Ａ３／Ａ７メッセージの失敗した遂行結果を示す情報要素。
- Ｃｅｌｌ Iｎｆｏｒｍａｔｉｏｎ Ｒｅｃｏｒｄ(Committed、Uncommitted): 表３のセル情報レコード(Cell Information Record)のフィールドがそのまま使用される。前記フィールドは、一つのコールレッグに付属されるセルのためのエアインターフェースチャネル情報を含んでいる情報要素で、成功した場合は‘committed’、失敗した場合は‘uncommitted’を指定し、ＰＭＣ Ｃａｕｓｅフィールドとともに使用される。
【００２６】
前記の内容に基づいた既存チャネルの割り当て方式の問題点を説明すると次のようである。
【００２７】
前記表１乃至表５で説明したように、従来の３Ｇ ＩＯＳ無線チャネルの情報には、ＣＤＭＡ−２０００規格で定義されたＱＯＦが定義されておらず、コードチャネルとしても０から６３までの６４個のウォルシュコードだけを支援している。従って、移動局に必須的なＱＯＦを基地局システムで支援できないと、３Ｇの順方向無線チャネルが移動局に割り当てられない問題点がある。従って、既存の３Ｇ ＩＯＳで無線チャネル情報のためにＱＯＦと２５６個のウォルシュコードとを支援することのできるメッセージフィールドの定義が必要である。
【００２８】
【発明が解決しようとする課題】
本発明の目的は、移動通信システムの基地局システムで、既存に６４個まで支援されたウォルシュコードを２５６個まで拡張し、順方向チャネルのＱＯＦを支援するための方法を提供することにある。
【００２９】
【課題を解決するための手段】
前記目的を達成するための本発明は、移動通信システムの基地局システムでチャネル割り当てを遂行するための方法を提供する。前記方法は、移動局へのチャネル割り当てが要求される時、ＢＴＳが２５６個のウォルシュコードの中から前記移動局に割り当てるチャネルのために使用されるウォルシュコードを示すチャネル情報とＱＯＦインデックスを示す情報とを含む連結メッセージを作成して基地局制御器に伝送する過程と、前記ＢＳＣが前記連結メッセージに含まれたチャネル割り当てに関する情報を承認する連結アクノリッジメントメッセージを作成して前記ＢＴＳに伝送する過程と、前記連結アクノリッジメントメッセージを受信した時、前記ＢＴＳが前記ＢＳＣから承認されたチャネルを前記移動局に割り当てる過程と、を含むことを特徴とする。
【００３０】
【発明の実施の形態】
以下、本発明による好適な一実施形態を添付図面を参照しつつ詳細に説明する。下記説明において、本発明の要旨を明確にするために関連した公知機能または構成に対する具体的な説明は省略する。
【００３１】
本発明による好適な一実施形態で、基地局システムは、既存ＩＳ−９５Ａ／Ｂによって定義された最大６４個のコードチャネルの以外に、ＩＳ−２０００によって定義された移動局に必須的なＱＯＦと、２５６個のウォルシュコードと、を支援する。
【００３２】
図７は、本発明の好適な実施形態による連結メッセージの送信動作の処理手順を示す。この手順で、ＢＴＳは、移動局にチャネルを割り当てる必要がある時、ＢＳＣ−ＳＤＵに連結メッセージを伝送する。前記ＢＴＳから前記ＢＳＣ−ＳＤＵに伝送される連結メッセージの中で、セル情報記録の詳細な内容は表６のようである。
【００３３】
図７を参照すると、ＢＴＳは７０１段階で、移動局に割り当てるチャネルがＳＣＣＨであるかを確認する。７０１段階で、割り当てるチャネルがＳＣＣＨであると、７１３段階でＢＴＳは、割り当てるチャネルがＩＳ−９５チャネルであることをＢＳＣが認識するように表６内容の中でフレームセレクター(または、チャネルタイプ)を‘ＩＳ−９５ＢのＳＣＣＨ’に指定し、チャネル情報を６ビットにしてウォルシュコードを指定する。それから、前記ＢＴＳは７１５段階で、図５に示された連結メッセージの中でＩＳ−２０００のＦＣＨ ＲＣ １／２の設定によって重複される情報要素は無視し、残りの情報要素を全部作成して連結メッセージを生成した後、前記連結メッセージを前記ＢＳＣに伝送する。ここで、もし、ハンドオフ状況であると、ハンドオフに係る情報要素を作成して連結メッセージを完成した後、前記ＢＳＣに伝送する。
【００３４】
７０１段階で、割り当てるチャネルがＳＣＣＨでないと、７０３段階で、割り当てるチャネルがＳＣＨであるかを確認する。７０３段階で、割り当てるチャネルがＳＣＨであると確認された場合は、ＢＴＳは７０７段階で割り当てるチャネルにＱＯＦマスキングを遂行するかを検査する。
【００３５】
７０７段階で、ＱＯＦマスキングを遂行すると確認された場合は、ＢＴＳは７１７段階で、割り当てるチャネルがＳＣＨであることをＢＳＣが認識するように、表６の内容の中でフレームセレクター(または、チャネルタイプ)を‘ＳＣＨ’に指定する。それから、ＢＴＳは、割り当てるウォルシュコードを示すチャネル情報をＩＳ−２０００のチャネルビット数(８ビットまたは１１ビット)に合わせて指定し、ここで、８ビットは２５６個のウォルシュコードまで支援できる。しかしながら、既存ＩＳ−２０００に２５６個のウォルシュコードを支援することができる場合にも、ＩＳ−２０００はウォルシュコードを指定するために１１ビットを指定している。ここで、残りの３ヒットは、将来の拡張用である。前記ＩＳ−２０００に応じては、１１ビットが良いが、８ビットでも現在の要求を満足させており、前記割り当てるＱＯＦコードに対応してＱＯＦマスクインデックス(= 01,10,11)を指定する。そして、７１９段階でＢＴＳは、図５に示された連結メッセージの中のＦＣＨとＤＣＣＨとの設定によって重複される情報要素は無視して、残りの情報要素を全部作成して連結メッセージを生成し、前記連結メッセージを前記ＢＳＣに伝送する。ここで、もし、ハンドオフ状況であると、図５のメッセージの中でハンドオフに係る情報要素を作成して連結メッセージを完成した後、前記ＢＣＳに伝送する。
【００３６】
７０７段階で割り当てるチャネルにＱＯＦマスキングを遂行しないと確認された場合は、ＢＴＳは７２１段階で、割り当てるチャネルがＳＣＨであることをＢＳＣが認識するように、フレームセレクター(または、チャネルタイプ)を‘ＳＣＨ’に指定する。そして、ＢＴＳは、割り当てるウォルシュコードを示すチャネル情報をＩＳ−２０００のチャネルビット数に合わせて(８ビットまたは１１ビット)指定し、ＱＯＦマスクインデックス(QOF Mask Index = 00)を指定する。ここで、ＱＯＦマスキングを遂行しないので、前記ＱＯＦマスクインデックスは‘００’に指定する。そして、ＢＴＳは７２３段階で、図５に示された連結メッセージの中のＦＣＨとＤＣＣＨとの設定によって重複される情報要素は無視して、残りの情報要素を全部作成して連結メッセージを生成し、前記連結メッセージを前記ＢＳＣに伝送する。ここで、もし、ハンドオフ状況であると、図５のメッセージの中でハンドオフに係る情報要素を作成して連結メッセージを完成した後、前記ＢＣＳに伝送する。
【００３７】
一方、７０３段階で割り当てるチャネルがＳＣＨでないと確認された場合、７０５段階でＢＴＳは、割り当てるチャネルがＦＣＨであるかを確認する。７０５段階で、割り当てるチャネルがＦＣＨであると確認された場合、ＢＴＳは７０９段階で、割り当てるチャネルにＱＯＦマスキングをするかを検査する。
【００３８】
７０９段階でＱＯＦマスキングを遂行すると確認された場合は、ＢＴＳは７２５段階で、割り当てるチャネルがＦＣＨであることをＢＳＣが認識するように、表６の内容の中でフレームセレクター(または、チャネルタイプ)を‘ＦＣＨ’に指定する。それから、ＢＴＳは、割り当てるウォルシュコードを示すチャネル情報をＩＳ−２０００のチャネルビット数(８ビットまたは１１ビット)に合わせて指定し、前記割り当てるＱＯＦコードに対応してＱＯＦマスクインデックス(= 01,10,11)を指定する。そして、ＢＴＳは７２７段階で、図５に示された連結メッセージに含まれる情報要素を全部作成して前記連結メッセージを生成し、前記連結メッセージをＢＳＣに伝送する。ここで、もし、ハンドオフ状況であると、図５のメッセージの中でハンドオフに係る情報要素を作成して連結メッセージを完成した後、前記ＢＣＳに伝送する。
【００３９】
７０９段階で、割り当てるチャネルにＱＯＦマスキングを遂行しないと確認された場合は、ＢＴＳは７２９段階で、割り当てるチャネルがＦＣＨであることをＢＳＣが認識するようにフレームセレクター(または、チャネルタイプ)を‘ＦＣＨ’に指定する。そして、ＢＴＳは、割り当てるウォルシュコードを示すチャネル情報をＩＳ−２０００のチャネルビット数に合わせて(８ビットまたは１１ビット)指定し、ＱＯＦマスクインデックス(QOF Mask Index = 00)を指定する。ここで、ＱＯＦマスキングを遂行しないので、前記ＱＯＦマスクインデックスは‘００’に指定する。そして、７３１段階でＢＴＳは、図５に示された連結メッセージに含まれる情報要素を全部作成して連結メッセージを生成し、前記連結メッセージを前記ＢＳＣに伝送する。ここで、もし、ハンドオフ状況であると、図５のメッセージの中でハンドオフに係る情報要素を作成して連結メッセージを完成した後、前記ＢＣＳに伝送する。
【００４０】
一方、７０５段階で割り当てるチャネルがＳＣＨでないと確認された場合、ＢＴＳは７１１段階で、割り当てるチャネルがＱＯＦマスキングをするかを検査する。７１１段階でＱＯＦマスキングを遂行すると確認された場合は、ＢＴＳは７３３段階で、割り当てるチャネルがＤＣＣＨであることをＢＳＣが認識するように、表６の内容の中でフレームセレクター(または、チャネルタイプ)を‘ＤＣＣＨ’に指定する。それから、ＢＴＳは、割り当てるウォルシュコードを示すチャネル情報をＩＳ−２０００のチャネルビット数(８ビットまたは１１ビット)に合わせて指定し、前記割り当てるＱＯＦコードに対応してＱＯＦマスクインデックス(= 01,10,11)を指定する。そして、ＢＴＳは７３５段階で、図５に示された連結メッセージに含まれる情報要素を全部作成して前記連結メッセージを生成し、前記連結メッセージをＢＳＣに伝送する。ここで、もし、ハンドオフ状況であると、図５のメッセージの中でハンドオフに係る情報要素を作成して連結メッセージを完成した後、前記ＢＣＳに伝送する。
【００４１】
７１１段階で割り当てるチャネルにＱＯＦマスキングを遂行しないと確認された場合は、７３７段階でＢＴＳは、割り当てるチャネルがＤＣＣＨであることをＢＳＣが認識するようにフレームセレクター(または、チャネルタイプ)を‘ＤＣＣＨ’に指定する。そして、ＢＴＳは、割り当てるウォルシュコードを示すチャネル情報をＩＳ−２０００のチャネルビット数に合わせて(８ビットまたは１１ビット)指定し、ＱＯＦマスクインデックス(QOF Mask Index = 00)を指定する。ここで、ＱＯＦマスキングを遂行しないので、前記ＱＯＦマスクインデックスは‘００’に指定する。そして、ＢＴＳは７３９段階で、図５に示された連結メッセージに含まれる情報要素を全部作成して連結メッセージを生成し、前記連結メッセージを前記ＢＳＣに伝送する。ここで、もし、ハンドオフ状況であると、図５のメッセージの中でハンドオフに係る情報要素を作成して連結メッセージを完成した後、前記ＢＣＳに伝送する。
【００４２】
下記表６は、ＱＯＦ及び２５６個のウォルシュコードを支援するためのセル情報記録の詳細な内容を示している。前記セル情報記録は、本発明によるＱＯＦマスクインデックスを記録する“ＱＯＦ_ＭＡＳＫ”フィールドと、２５６個のウォルシュコードを指定する“Ｃｏｄｅ_Ｃｈａｎ”フィールドと、を含む。ＢＳＣは、前記のようなフィールドを含む連結メッセージを受信して、前記フィールドに記録されているチャネル割り当てに関連した情報を分析した後、前記連結メッセージのためのアクノリッジメント情報(ACK information)を含む連結アクノリッジメントメッセージをＢＴＳに伝送する。そして、ＢＴＳは、前記連結アクノリッジメントメッセージを確認した後、移動局へのチャネル割り当てを遂行する。
【表６】
0003730916.tif 000007
【００４３】
【発明の効果】
前記のように本発明は、移動局には必須的であるＱＯＦを、基地局システムで支援できるようにする信号メッセージ及びその処理手順を提供している。本発明は、基地局システムと移動交換機で、無線チャネルに２５６個までのウォルシュコードを割り当てることができる。
【００４４】
一方、前記本発明の詳細な説明では具体的な実施形態を挙げて説明してきたが、本発明の範囲内で様々な変形が可能であるということは勿論である。従って、本発明の範囲は前記実施形態によって限られるべきではなく、特許請求の範囲とそれに均等なものによって定められるべきである。
【図面の簡単な説明】
【図１】  通常的な移動通信システムのＭＳＣと基地局システム、基地局システムと基地局システムとの間のディジタルエアインターフェースに対する３Ｇ ＩＯＳの参照モデルを示す図である。
【図２】  従来技術によるＢＴＳとＢＳＣとの間の無線チャネル割り当てのための信号送受信手順を示す図である。
【図３】  従来技術による連結メッセージの送信動作の手順を示す図で、移動局へのチャネル割り当てが必要である時に、ＢＴＳがＢＳＣ−ＳＤＵに連結メッセージを伝送する処理の手順を示すフローチャートである。
【図４】  従来技術による連結メッセージの受信動作の手順を示す図で、ＢＳＣ−ＳＤＵがＢＴＳからチャネル割り当てを要求する連結メッセージを受信し、前記連結メッセージに対する連結アクノリッジメントメッセージを生成する手順を示すフローチャートである。
【図５】  従来技術によるＢＴＳからＢＳＣに伝送される連結メッセージを示す図である。
【図６】  従来技術によるＢＳＣからＢＴＳに伝送される連結アクノリッジメントメッセージを示す図である。
【図７】  本発明の好適な実施形態による連結メッセージの送信動作の手順を示す図で、移動局へのチャネル割り当てが必要である時に、ＢＴＳがＢＳＣ-ＳＤＵに連結メッセージを伝送する手順を示すフローチャートである。
【符号の説明】
２０  ＭＳＣ
２２  移動管理ブロック
２４  スイッチングブロック
３０  ソース基地局システム
３２，４２  ＢＳＣ
３４  フレーム選択／分配機能部
３６，４４  ＢＴＳ
４０  対象基地局システム
５０  インターワーキング機能
【図１】
0003730916.tif 000008
【図２】
0003730916.tif 000009
【図３】
0003730916.tif 000010
【図４】
0003730916.tif 000011
【図５Ａ】
0003730916.tif 000012
【図５Ｂ】
0003730916.tif 000013
【図５Ｃ】
0003730916.tif 000014
【図５Ｄ】
0003730916.tif 000015
【図６Ａ】
0003730916.tif 000016
【図６Ｂ】
0003730916.tif 000017
【図７Ａ】
0003730916.tif 000018
【図７Ｂ】
0003730916.tif 000019